(57)【要約】  眼鏡型フレーム２を構成する鼻パッド８Ａ、８Ｂの表面に第１の電極１１と第２の電極１２を設け、電極１１、１２による眼電位の検出結果に基づき眼鏡型フレーム２の装着状態又は非装着状態を判定する。
2016194772.tif 000002
【特許請求の範囲】
【請求項１】
眼鏡型フレームに設けた電極により眼電位を検出する眼電位検出手段と、
前記眼電位検出手段の眼電位検出結果に基づき前記眼鏡型フレームの装着又は非装着を判定する装着判定手段と
を有する装着判定装置。
【請求項２】
前記電極は前記眼鏡型フレームを構成する一対の鼻パッドの表面に設けられた第１の電極及び第２の電極からなる請求項１記載の装着判定装置。
【請求項３】
前記装着判定手段の判定結果に基づき電源を切り替える電源切替手段を有し、
前記眼鏡型フレームの非装着時に電源をオフ状態に切り替えるとともに、装着時に電源をオン状態とする
請求項１または請求項２記載の装着判定装置。
【請求項４】
請求項１〜３のいずれかに記載の装着判定装置であって、
前記眼鏡型フレームの動きを検出する加速度センサ、角速度センサ及び地磁気センサの少なくとも一つである動き検出手段を有し、
前記装着判定手段は、前記動き検出手段の動き検出結果と、前記眼電位検出手段の眼電位検出結果に基づき前記眼鏡型フレームの装着又は非装着を判定する装着判定装置。
【請求項５】
前記装着判定手段は、前記眼鏡型フレームが装着された状態での眼電位を前記眼電位検出結果が示し、且つ、前記眼鏡型フレームに動きがある状態を前記動き検出結果が示している場合に、前記眼鏡型フレームが装着状態であると判定する
請求項４記載の装着判定装置。
【請求項６】
前記装着判定手段は、前記眼鏡型フレームが装着されていない状態での眼電位を前記眼電位検出結果が示し、且つ、前記眼鏡型フレームに動きがない状態を前記動き検出結果が示している場合に、前記眼鏡型フレームが非装着状態であると判定する
請求項４記載の装着判定装置。
【請求項７】
前記装着判定手段は、前記眼鏡型フレームが装着された状態での眼電位を前記眼電位検出結果が示し、且つ、前記眼鏡型フレームに動きがない状態を前記動き検出結果が示している場合に、前記眼鏡型フレームが装着状態であると判定する
請求項４記載の装着判定装置。
【請求項８】
前記装着判定手段は、
前記眼電位が予め決められた所定の範囲内にある場合に前記眼鏡型フレームが装着された状態であると判定し、
前記動き検出結果が加速度である場合に、加速度の大きさが所定のしきい値以上である場合に前記眼鏡型フレームに動きがあると判定する
請求項５〜７のいずれかに記載の装着判定装置。
【請求項９】
請求項１〜請求項８のいずれかに記載の装着判定装置を備えた眼鏡型電子機器。
【請求項１０】
コンピュータが眼鏡型フレームの装着又は非装着を判定する方法であって、
前記眼鏡型フレームに設けた電極により眼電位を検出する眼電位検出ステップと、
前記眼電位検出ステップでの眼電位検出結果に基づき前記眼鏡型フレームの装着又は非装着を判定する装着判定ステップと
を有する装着判定方法。
【請求項１１】
前記装着判定ステップでの判定結果に基づき電源を切り替える電源切替ステップを有し、前記眼鏡型フレームの非装着時に電源をオフ状態に切り替えるとともに、装着時に電源をオン状態とする
請求項１０記載の装着判定方法。
【請求項１２】
請求項１０または請求項１１のいずれかに記載の装着判定方法であって、
前記眼鏡型フレームの動きを、加速度センサ、角速度センサ及び地磁気センサで検出する動き検出ステップを有し、
前記装着判定ステップは前記動き検出ステップの動き検出結果と前記眼電位検出ステップでの眼電位検出結果とに基づき前記眼鏡型フレームの装着又は非装着を判定する装着判定方法。
【請求項１３】
請求項１０〜請求項１２に記載の装着判定方法をコンピュータに実行させるためのプログラム。
【発明の詳細な説明】
【技術分野】
【０００１】
本発明は、眼鏡型フレームの人体の頭部への装着又は非装着を判定する装着判定装置、眼鏡型電子機器、装着判定方法およびプログラムに関するものである。
【背景技術】
【０００２】
人体の精神活動や体調の状態を示すパラメータとして、皮膚電気活動（Electro Dermal Activity）が知られている。
この人体の皮膚電気活動は人体の皮膚の電位を検出することで把握でき、これら電位検出を使って様々な機能を実現する装置が知られている。
特に、瞬きや眼球の動きから疲れや眠気を可視化するために眼電位センシングの技術が知られている。【０００３】
眼電位とは、眼球の角膜側と網膜側との間に生じている数十mVの電位差を示す。人間の眼球の角膜側は、一般に正の電荷、網膜側は負の電荷を帯びているため、両者の間に電位差が発生する。目の周囲の皮膚に電極を付けて電位差を測定すると、目の動きや瞬きによってこの電位が変わる。眼電位センシングとは、このような電位差測定である。視線や心理状態、疲労などの推定に役立つ。
【先行技術文献】
【特許文献】
【０００４】
【特許文献１】特開２０００−４４５３
【発明の概要】
【発明が解決しようとする課題】
【０００５】
現在、眼電位センシング機能を備えた眼鏡型電子機器が知られるようになった。この眼鏡型電子機器には眼電位センシング機能等の人体特性検出装置が組み込まれており、電力を効率的に使用する必要がある。
省電力化を図るためには当該電子機器の未使用時には電源をオフ状態にし、当該電子機器の使用時は電源をオン状態にすることが好ましい。一般的に、この電源をオン状態／オフ状態に切り替えるためにはスイッチを用いることが考えられるが、当該電子機器への搭載は部品点数の増加に繋がり好ましくない。【０００６】
本発明はかかる事情に鑑みてなされたものであり、その目的は、眼鏡型フレームの人体の頭部への装着又は非装着を判定し、当該電眼鏡型電子機器の使用状態の時に電源をオン状態にすることにより、電力の省エネ化を図ることを目的とする。
【課題を解決するための手段】
【０００７】
上述した問題点を解決し、上述した目的を達成するために、本発明は眼鏡型フレームに設けた電極により眼電位を検出する眼電位検出手段と、前記眼電位検出手段の眼電位検出結果に基づき前記眼鏡型フレームの装着状態又は非装着状態を判定する装着判定手段とを有してなる。
上述した構成によれば、スイッチ等の電気部品を用いることなく眼鏡型フレームの装着状態又は非装着状態を判定できる。【０００８】
好適には、前記電極は前記眼鏡型フレームを構成する一対の鼻パッド表面に設けられた第１の電極及び第２の電極からなる。
この構成によれば、人体の眼球の近くに電極があるので眼電位を精度よく検出できる。【０００９】
好適には、本発明は前記装着判定手段の判定結果に基づき電源を切り替える電源切替手段を有し、眼鏡型フレームの非装着状態の時に電源をオフ状態に切り替えるとともに、装着状態の時に電源をオン状態とする。
この構成によれば、眼鏡型フレームの装着／非装着状態に応じて電源を切り替えることができるので、省エネ化を図ることができる。【００１０】
また、本発明は上述の眼鏡型フレームの装着判定装置であって、眼鏡型フレームの動きを検出する加速度センサ、角速度センサ及び地磁気センサの少なくとも一つである動き検出手段を有し、前記装着判定手段は前記動き検出手段の動き検出結果と、前記眼電位検出手段の眼電位検出結果とに基づき前記眼鏡型フレームの装着状態又は非装着状態を判定する。
この構成によれば、前記眼鏡型フレームを正常な状態で装着している時に、電源をオン状態にすることができる。【００１１】
好適には、前記装着判定手段は、前記眼鏡型フレームが装着された状態での眼電位を前記眼電位検出結果が示し、且つ、前記眼鏡型フレームに動きがある状態を前記動き検出結果が示している場合に、前記眼鏡型フレームが装着状態であると判定する。
この構成によれば、例えば前記眼鏡型フレームの使用者の頭部に動きがある時は電源をオン状態にすることができる。【００１２】
好適には、前記装着判定手段は、前記眼鏡型フレームが装着されていない状態での眼電位を前記眼電位検出結果が示し、且つ、前記眼鏡型フレームに動きがない状態を前記動き検出結果が示している場合に、前記眼鏡型フレームが非装着状態であると判定する。
この構成によれば、眼鏡型フレームを机の上等に置き当該眼鏡型電子機器の未使用状態の時、電源をオフ状態にすることができる。【００１３】
好適には、前記装着判定手段は、前記眼鏡型フレームが装着された状態での眼電位を前記眼電位検出結果が示し、且つ、前記眼鏡型フレームに動きがない状態を前記動き検出結果が示している場合に、前記眼鏡型フレームが装着状態であると判定する。
この構成によれば、眼鏡フレームを使用している時、頭部に動きがない時は電源をオン状態にすることができる。【００１４】
好適には、前記装着判定手段は、前記眼電位が予め決められた所定の範囲内にある場合に前記眼鏡型フレームが装着された状態であると判定し、前記動き検出結果が加速度である場合に、加速度の大きさが所定のしきい値以上である場合に前記眼鏡型フレームに動きがあると判定する。
この構成によれば、眼鏡フレームの動きを精度よく検出できる。【００１５】
本発明の眼鏡型電子機器は、前記装着判定装置を備えてなる。
この構成によれば、眼鏡型フレームの装着又は非装着を判定できるので、省エネに適した眼鏡型電子機器を提供できる。【００１６】
本発明は、コンピュータが眼鏡型フレームの装着又は非装着を判定する方法であって、前記眼鏡型フレームに設けた電極により眼電位を検出する眼電位検出ステップと、前記眼電位検出ステップでの眼電位検出結果に基づき前記眼鏡型フレームの装着又は非装着を判定する装着判定ステップとを有する。
この方法によれば、眼鏡型フレームの装着又は非装着状態を判定できる。【００１７】
好適には前記装着判定ステップでの判定結果に基づき電源を切り替える電源切替ステップを有し、前記眼鏡型フレームの非装着時に電源をオフ状態に切り替えるとともに、装着時に電源をオン状態とする。
この方法によれば、省エネに適した装着判定方法を提供できる。【００１８】
好適には、上述の眼鏡フレームの装着判定方法であって、前記眼鏡型フレームの動きを、加速度センサ、角速度センサ及び地磁気センサで検出する動き検出ステップを有し、前記装着判定ステップは前記動き検出ステップの動き検出結果と前記眼電位検出ステップでの眼電位検出結果とに基づき前記眼鏡型フレームの装着又は非装着を判定する。
この方法によれば、精度よく眼鏡型フレームの装着又は非装着を判定でき、誤動作を回避できる。【００１９】
本発明のプログラムは、上記の装着判定方法をコンピュータに実行させるためのプログラムである。このプログラムによれば、眼鏡型フレームの装着又は非装着を判定できる。
【発明の効果】
【００２０】
本発明によれば、眼鏡型フレームの装着状態又は非装着状態を判定できるので、当該眼鏡型電子機器の使用時に電源をオン状態にするとともに、当該眼鏡型電子機器の未使用時には電源をオフ状態にすることができ、省エネに適した装着判定装置、眼鏡型電子機器、装着判定方法およびプログラムを提供することができる。【００２１】
また、本発明によれば、眼鏡型フレームの装着又は非装着を高精度に判定できるので眼鏡型電子機器の誤作動を回避できる。
【図面の簡単な説明】
【００２２】
【図１】本発明の実施形態に係る眼鏡型電子機器の外観斜視図である。
【図２】図１に示す眼鏡型電子機器における鼻パッド部分を示す拡大斜視図である。
【図３】図１に示す眼鏡型電子機器の装着判定装置の機能ブロック図である。
【図４】図１に示す眼鏡型電子機器における装着判定装置の流れを説明するためのフローチャートである。
【図５】図１に示す眼鏡型電子機器の眼鏡型フレームの装着判定の流れを説明するためのフローチャートである。
【発明を実施するための形態】
【００２３】
以下、本発明の実施形態に係る眼鏡型電子機器１の装着判定装置５０について説明する。
図１は、本発明の実施形態に係る眼鏡型電子機器１の装着判定装置５０の外観斜視図である。図２は、図1に示す眼鏡型電子機器１における鼻パッド部分を示す拡大斜視図である。図３は、図１に示す眼鏡型電子機器１の装着判定装置５０の機能ブロック図である。
【００２４】
図１に示すように、眼鏡型電子機器１の眼鏡型フレーム２は、使用者の耳に掛けられる一対のテンプル部３Ａ、３Ｂと、レンズ４、４が取り付けられた一対のリム部５、５と、これらリム部５、５の間に介在するブリッジ部６とを有する。
また、テンプル部３Ａ、３Ｂとリム部５、５との間にはヒンジ部７、７が設けられており、テンプル部３Ａ、３Ｂはヒンジ部７、７を介してリム部５、５に対して折り畳み自在に構成されている。
【００２５】
図２に示すように、眼鏡型フレーム２のブリッジ部６には眼鏡型フレーム２を構成する一対の鼻パッド８Ａ、８Ｂが設けられている。この鼻パッド８Ａ、８Ｂの表面には後述する眼電位検出部１０を構成する第１の電極１１と第２の電極１２が設けられている。第１の電極１１は使用者の右眼の眼電位を検出する。第２の電極１２は使用者の左眼の眼電位を検出する。
【００２６】
眼電位とは、眼球の角膜側と網膜側との間に生じている数十ｍＶの電位差を示す。人間の眼球の角膜側は、一般に正の電荷、網膜側は負の電荷を帯びているため、両者の間に電位差が発生する。目の周囲の皮膚に電極を付けて電位差を測定すると、目の動きや瞬きによってこの電位が変わる。このような電位差測定を眼電位センシングという。この眼電位センシング技術は瞬きや眼球の動きから疲れや眠気を可視化することができ、視線や心理状態、疲労などの推定に役立つ。
【００２７】
図１に示すように、眼電位検出部１０を構成する電極１１、１２は眼鏡型フレーム２のテンプル部３Ａに組み込まれた図示しない配線を介してテンプル部３Ａの先端側のモダン１３内に設けられた眼鏡電位検出回路１０Ａに接続されている。
眼電位検出回路１０Ａをモダン１３内に組み込むとともに、後述する加速度センサ２５をモダン１４内に組み込むことにより、眼鏡型フレーム２自体のデザインには影響を与えず、日常違和感なく眼鏡型フレーム２を装着できる。
【００２８】
図３に示すように、装着判定装置５０は、例えば、眼電位検出部１０、眼鏡型フレーム２の動きを検出する動き検出手段となる加速度センサ２５及び信号処理部３０を有する。
眼電位検出部１０は、電極１１、１２及び眼鏡電位検出回路１０Ａを有する。
信号処理部３０は、装着判定部２０及び電源切換部２１を有する。
図３に示す信号処理部３０は、図１及び図２には図示しないが、眼鏡型電子機器１の所定の箇所に搭載されている。
【００２９】
眼鏡型電子機器１が使用者に装着されて第１の電極１１と第２の電極１２が使用者の鼻に適切に接触すると（適切な状態で装着されると）、眼電位検出部１０が検出する眼電位は、予め決められた所定の範囲内になる。眼鏡電位検出回路１０Ａは、検出した眼電位を示す眼電位信号を生成し、これを装着判定部２０に出力する。
【００３０】
加速度センサ２５は、例えば３軸加速度センサであり、テンプル部３Ｂの先端側のモダン１４に組み込まれている。この加速度センサ２５は眼鏡型フレーム２に作用する加速度を検出するセンサであり、眼鏡型フレーム２を持ち上げた時、又は眼鏡型フレーム２を装着した後に取り付け位置がずれた時、又は装着後に使用者が頭部を動かした時のように眼鏡型フレーム２の動きに応じた加速度信号を生成し、これを装着判定部２０に出力する。
なお、本発明においては、眼鏡型フレーム２の動きを検出できるものであれば、２軸以下の加速度センサであってもよい。
加速度センサ２５が検出した加速度信号は、例えば、眼鏡型電子機器１が使用者に装着されて動く場合に所定のしきい値以上の値を示す。
【００３１】
装着判定部２０は、眼鏡電位検出回路１０Ａからの眼電位信号と、加速度センサ２５からの加速度信号とを基に、眼鏡型電子機器１が使用者に装着されている装着状態と、装着されていない非装着状態との何れであるかを判定する。
装着判定部２０は、装着状態又は非装着状態の判定結果を示す判定信号を電源切換部２１に出力する。
【００３２】
電源切換部２１は、電源２２がオン状態（眼鏡型電子機器１が動作中）で、装着判定部２０から入力した判定信号が非装着状態を示す場合に、電源２２をオフに切り換える制御を行う。
電源切換部２１は、電源２２がオフ状態（眼鏡型電子機器１が停止中）で、装着判定部２０から入力した判定信号が装着状態を示す場合に、電源２２をオンとする制御を行う。
【００３３】
以下、装着判定部２０の判定処理を詳細に説明する。
図４は、図３に示す装着判定部２０の判定処理を説明するためのフローチャートである。
装着判定部２０は、加速度センサ２５からの加速度信号を基に、３軸の加速度のベクトルの大きさが、所定のしきい値を超えているか否かを判断する（図４のステップＳＴ１）。
【００３４】
装着判定部２０は、ステップＳＴ１で所定のしきい値を超えていると判断した場合にステップＳＴ２に進み、眼鏡電位検出回路１０Ａから入力した眼電位信号が示す眼電位が予め決められた所定の範囲（眼鏡型電子機器１の装着時の眼電位範囲）内にあるか否かを判断する（ステップＳＴ２）。
【００３５】
装着判定部２０は、ステップＳＴ２で眼電位信号が予め決められた所定の範囲内にあると判断した場合に装着状態であると判定する（ステップＳＴ３）。
装着判定部２０は、ステップＳＴ２で眼電位信号が予め決められた所定の範囲内にないと判断した場合に非装着状態であると判定する（ステップＳＴ４）。
【００３６】
一方、装着判定部２０は、ステップＳＴ１で所定のしきい値と超えていないと判断した場合にステップＳＴ５に進み、眼鏡電位検出回路１０Ａから入力した眼電位信号が示す眼電位が予め決められた所定の範囲（眼鏡型電子機器１の装着時の眼電位範囲）内にあるか否かを判断する（ステップＳＴ５）。
【００３７】
装着判定部２０は、ステップＳＴ５で眼電位信号が予め決められた所定の範囲内にあると判断した場合に装着状態であると判定する（ステップＳＴ６）。
装着判定部２０は、ステップＳＴ５で眼電位信号が予め決められた所定の範囲内にないと判断した場合に非装着状態であると判定する（ステップＳＴ７）。
【００３８】
信号処理部３０の各部の機能は、処理回路でプログラムを実行して実現してもよいし、少なくとも一部の機能をハードウエアで実現してもよい。
【００３９】
次に、本実施形態に係る眼鏡型電子機器１の装着判定装置５０の動作（装着判定方法）の例について、図５を参照して説明する。
図５は、眼鏡型フレーム２の装着判定方法を説明するためのフローチャートである。
【００４０】
[装着判定の例１]
ステップＳＴ１１：
眼鏡型フレーム２を使用者の頭部に装着した状態で頭部を動かす等の動きがあったとき、加速度センサ２５は眼鏡型フレーム２の動きを検出する。
【００４１】
ステップＳＴ１２：
眼電位検出部１０は眼電位の測定を開始する。眼電位検出部１０は眼電位を一定時間測定し、眼電位の分散値演算を行い、眼電位の検出を行う。眼電位検出部１０は電極１１、１２が鼻の予め規定されている位置に接触し、眼電位が生じているときに眼電位検出信号を生成する。電極１１、１２が鼻の所定位置に接触している際に眼電位が生じているか否かの判断は、例えば、電極１１、１２の電位が所定のしきい値を超えているか否かを基に行われる。
【００４２】
ステップＳＴ１３：
眼電位検出部１０は眼電位検出結果を装着判定部２０に送る。眼電位信号が予め決められた所定の範囲内にあると装着判定部２０が判断した場合、装着判定部２０は眼鏡型フレーム２が装着状態であると判定する。
【００４３】
ステップＳＴ１４：
装着判定部２０から電源切替部２１に装着状態を示す判定信号が送信され、電源切替部２１は電源２２をオン状態とする。
【００４４】
電極１１、１２は人体の眼球の近くである鼻パッド８Ａ、８Ｂの表面に設けられているので、眼鏡型フレーム２を装着した時、眼電位を精度よく検出することができる。
【００４５】
なお、電極１１、１２が鼻には接触しているが、鼻への接触状態が不安定な場合、すなわち眼電位信号が予め決められた所定の範囲内のものでなかった場合、眼電位検出部１０が電極１１、１２の接触状態が不安定である旨のアラーム信号を装着判定部２０に送り、使用者に気付かせるようにしてもよい。また、この眼鏡型電子機器のモニターとして携帯型電子機器を使用した場合、上述のアラームを携帯型電子機器の表示部に表すようにしてもよい。
【００４６】
[装着判定の例２]
ステップＳＴ１１：
眼鏡型フレーム２を机の上等に置き、眼鏡型電子機器１の未使用の時、加速度センサ２５は眼鏡型フレーム２の動きを検出する。
【００４７】
ステップＳＴ１２：
眼電位検出部１０は眼電位の測定を開始する。眼電位検出部１０は眼電位を一定時間測定し、眼電位の分散値演算を行うが、眼鏡型電子機器１は未使用のため、眼電位検出部１０は予め決められた範囲内の眼電位の検出信号は生成されない。
【００４８】
ステップＳＴ１３：
眼電位検出部１０は眼電位検出結果（眼電位を示す眼電位信号は生成されない）を装着判定部２０に送る。そして、装着判定部２０は眼鏡型フレーム２が非装着状態であると判定する。
【００４９】
ステップＳＴ１４：
装着判定部２０から電源切替部２１に非装着状態を示す判定信号が送信され、電源切替部２１は電源２２をオフ状態に切り替える。この状態は眼鏡型フレーム２の未装着状態（当該眼鏡型電子機器１の未使用状態）を示す。
【００５０】
装着判定部２０が眼鏡フレーム２の非装着状態（眼鏡型電子機器１の未使用状態）を判定したとき、装着判定部２０が電源切換部２１に電源２２を一時休止状態（スリープモード）にする判定信号を送信するように構成してもよい。
【００５１】
[装着判定の例３]
ステップＳＴ１１：
眼鏡型フレーム２を使用者の頭部に装着し、頭部を動かさない状態、例えば読書を行っている状態で眼鏡型電子機器１を使用している時、加速度センサ２５は眼鏡型フレーム２の動きを検出する。
【００５２】
ステップＳＴ１２：
眼電位検出部１０は眼電位測定開始を行う。眼電位を一定時間測定し、眼電位の分散値演算を行い、眼電位の検出を行う。眼電位検出部１０は電極１１、１２が鼻の予め規定されている位置に接触し、眼電位が生じているときに眼電位検出信号を生成する。
【００５３】
ステップＳＴ１３：
眼電位検出部１０は眼電位検出結果を装着判定部２０に送る。装着判定部２０が眼電位信号が予め決められた所定の範囲内にあると判断した場合、装着判定部２０は眼鏡型フレーム２が装着状態であると判定する。
【００５４】
ステップＳＴ１４：
装着判定部２０から電源切替部２１に装着状態を示す判定信号が送信され、電源切替部２１は電源２２をオン状態とする。
【００５５】
このような構成の眼鏡型電子機器１によれば、装着判定部２０により眼鏡型フレーム２の装着状態又は非装着状態を判定できるので、当該眼鏡型電子機器１の使用時に電源２２をオン状態にするとともに、当該眼鏡型電子機器１の未使用時には電源２２をオフ状態にすることができ、省エネに適した眼鏡型電子機器１を提供することができる。
【００５６】
また、加速度センサ２５の加速度検出結果と眼電位検出部１０の眼電位検出結果に基づき、眼鏡型フレーム２の装着状態又は非装着状態を判定することができ、機器の誤動作を回避できる。
【００５７】
上述した実施形態では、眼鏡フレーム２の動きを検出する動き検出手段として加速度センサ２５を用い、加速度センサ２５の加速度検出信号に基づき、眼鏡フレーム２の装着状態又は非装着状態の判定を行っているが、本発明は加速度センサ２５に限らず、眼鏡フレーム２の動きを検出する動き検出手段として角速度センサ、地磁気センサを用い、これら各センサの検出信号に基づき眼鏡フレーム２の装着状態又は非装着状態の判定を行ったものであってもよい。
上述した実施形態では、電極１１、１２は鼻パッド８Ａ、８Ｂの表面に設けられたものであるが、電極１１、１２は電極をブリッジ部６に設けられたものであってよく、眼電位を検出できる機能を持てば眼鏡フレーム２の電極の設置位置には限定されない。
【００５８】
上述した実施形態では、レンズ４、４を備えた眼鏡型フレーム２に適用した場合を例示したが、レンズがない眼鏡型電子機器に適用してもよい。
【００５９】
本発明は上述した実施例に限定されない。すなわち、当業者は、本発明の技術的範囲又はその均等の範囲内において、上述した実施形態の構成に関し、様々な変更、コンビネーション、並びに代替を行ってもよい。
【産業上の利用可能性】
【００６０】
本発明の眼電位センシングを利用した眼鏡型電子機器ならばその用途は幅広く、自動車の運転補助、歩行の補助等の機器への適用が可能である。
【符号の説明】
【００６１】
１          眼鏡型電子機器
２          眼鏡型フレーム
８Ａ、８Ｂ  鼻パッド
１０        眼電位検出部
１１        第１の電極
１２        第２の電極
２０        装着判定部
２１        電源切替部
２２        電源
２５        加速度センサ
５０        装着判定装置
【図１】
2016194772.tif 000003
【図２】
2016194772.tif 000004
【図３】
2016194772.tif 000005
【図４】
2016194772.tif 000006
【図５】
2016194772.tif 000007
【国際調査報告】
2016194772.tif 000008
2016194772.tif 000009
2016194772.tif 000010
2016194772.tif 000011